(57)【要約】      （修正有）【課題】カラオケやライブハウス、劇場の客席のような暗がりの中にいる当事者の間で、特定のアピールや注意喚起を行うことができる衛生マスクを提供する。【解決手段】衛生マスク１０は、マスク本体１２と、マスク本体１２の両側端部に配設された一対の耳掛け紐１４とを有している。着用者の口を覆うマスク本体１２の表面に、散乱光の下で視認が困難な再帰反射材料で成る第一の表示層１６を設ける。第一の表示層１６は、それを見た他人に対し、注意を促す文字列又は絵柄を表示している。マスク本体１２の表面に、散乱光の下で視認可能な通常インキで成る第二の表示層１８を有する。【選択図】図１
0003229218.tif 000002
【実用新案登録請求の範囲】
【請求項１】
着用者の口を覆うマスク本体を有し、前記マスク本体の表面に、散乱光の下では視認が困難な再帰反射材料で成る第一の表示層が設けられていることを特徴とする衛生マスク。
【請求項２】
前記第一の表示層の再帰反射材料は、再帰反射インキである請求項１記載の衛生マスク。
【請求項３】
前記第一の表示層の再帰反射材料は、再帰反射性組成物を含有するフィルムにより構成されている請求項１記載の衛生マスク。
【請求項４】
前記第一の表示層は、それを見た他人に対し、密状態にならないように注意を促す文字列又は絵柄を表示している請求項１，２又は３記載の衛生マスク。
【請求項５】
前記マスク本体の表面に、散乱光の下で視認可能な通常インキで成る第二の表示層が設けられている請求項１乃至４のいずれか記載の衛生マスク。
【考案の詳細な説明】
【技術分野】
【０００１】
この考案は、着用者の口を覆うマスク本体を有する衛生マスクに関する。
【背景技術】
【０００２】
従来、例えば特許文献１に開示されているように、マスク本体の表面に着用目的を表示したマスクがあった。着用目的を表示することによって、着用者がウィルスや細菌の保菌者ではなく、ウィルス及び細菌の感染予防や花粉症対策等を目的に着用していることを周囲に示し、健康維持のためにマスクを着用しやすくすることができる。
【先行技術文献】
【特許文献】
【０００３】
【特許文献１】実用新案登録第３１４４６５３号公報
【考案の概要】
【０００４】
２０２０年に入って新型コロナウィルス感染症の拡大が大きな社会問題になっており、人から人への飛沫感染やエアロゾル感染を抑制するため、換気の悪い密閉空間や、多数の人が集まる密集場所や、間近で会話や発声をする密接場面（いわゆる３密状態）を避けて行動するように広く呼びかけられている。しかしながら、現実には、カラオケやライブハウス、劇場等で客同士が密集又は密接して集団感染が発生し、感染拡大に歯止めが掛からない状況になっている。この種の集団感染を防止するためには、ライブや演劇等の主催者側で徹底した対策や管理を行うことが重要であるが、特に客等の当事者一人一人が密状態にならないように注意を払って行動し、自己管理を徹底した感染防止対策を図ることが非常に重要である。
【０００５】
当事者同士が密状態にならないように注意を喚起する方法として、例えば、特許文献１のマスクの表示を、密状態にならないように注意を促す内容に変更する方法が考えられる。しかし、特許文献１のマスクの表示は、自然光で視認可能な通常インキで表示されるので、ライブハウスや劇場の客席のような暗がりの中では表示がほとんど視認できず、相互に注意を喚起することができない。また、注意喚起の表示を通常インキで表示すると、普通に街を歩いたり買い物をしたりする時に、周囲の人に違和感を与えたり、誤解されたりする可能性があり、マスクを着用しにくくなってしまう。
【０００６】
この考案は、上記背景技術に鑑みて成されたものであり、カラオケやライブハウス、劇場の客席のような暗がりの中にいる当事者の間で、特定のアピールや注意喚起を行うことができる衛生マスクを提供することを目的とする。
【課題を解決するための手段】
【０００７】
この考案は、着用者の口を覆うマスク本体を有し、前記マスク本体の表面に、自然光等の散乱光の下では視認が困難な再帰反射材料で成る第一の表示層が設けられている衛生マスクである。前記第一の表示層の再帰反射材料は、再帰反射インキ、又は再帰反射性組成物を含有するフィルムにより構成されている。
【０００８】
前記第一の表示層は、それを見た他人に対し、密状態にならないように注意を促す文字列又は絵柄を表示する。また、前記マスク本体の表面に、散乱光の下で視認可能な通常インキで成る第二の表示層を設けてもよい。
【考案の効果】
【０００９】
この考案の衛生マスクは、マスク本体の表面に、自然光等の散乱光の下では視認が困難な再帰反射性を有するインキやフィルムの再帰反射材料で成る第一の表示層が設けられ、それを見た他人に対して特定のアピールや注意喚起を行う文字列や絵柄等が表示されている。これにより、例えば、ライブハウスや劇場の客席のような暗がりの中で、スマートフォンからのＬＥＤ光やその他のスポットライト等が照射された時、客等の当事者の間で、特定のアピール等を相互に認識させることができる。しかも、普段は第一の表示層の表示が見えないので、アピールが特殊な内容であっても、普通に街を歩いたり買い物をしたりする時に、周囲の人に違和感を与えたり、誤解されたりする心配は不要である。特に、新型コロナウィルスの感染者が急増する中で、当事者間の密状態の回避を徹底するためにも、個々人のマスクをスマートフォンライト等で確認し、感染防止のアピールや注意喚起を行うことができるので、感染の拡大を効果的に防止することができるものである。
【図面の簡単な説明】
【００１０】
【図１】この考案の衛生マスクの一実施形態を示す図であって、散乱光の下で見た時の外観を示す斜視図（ａ）、暗がりの中で光が照射されて見た時の外観を示す斜視図（ｂ）である。
【考案を実施するための形態】
【００１１】
以下、この考案の衛生マスクの一実施形態について、図面に基づいて説明する。この実施形態のマスク１０は、図１に示すように、着用者の口及び鼻の周辺部分を覆うマスク本体１２と、マスク本体１２の両側端部に配設された一対の耳掛け紐１４とを有している。マスク本体１２は、例えばガーゼ等の織布や編み地、不織布等で成り、着用者の口を覆う本体部１２ａと、本体部１２ａの上端部に延設されて着用者の鼻を覆う補助部１２ｂ、及び顎を覆う補助部１２ｃとで構成されている。
【００１２】
本体部１２ａの表面には、自然光等の散乱光の下では目立たない色又はほぼ透明であり、視認が困難な再帰反射材料である再帰反射インキで成る第一の表示層１６と、散乱光の下で視認可能な通常インキで成る第二の表示層１８とが設けられている。第二の表示層１８は、種々のデザイン画等を表示する層であり、この衛生マスク１０の場合、果物のブドウの絵柄を表示している。
【００１３】
また、第一の表示層１６は、特定のアピール事項を表示する層であり、この衛生マスク１０の場合、それを見た他人に対して密状態にならないように注意を促すための「自分の命は自分で守る」という文字列を表示している。
【００１４】
再帰反射インキには、ガラスビーズと接着用樹脂等を含む組成物から成る再帰反射性組成物等を使用することができる。再帰反射性組成物がほぼ透明なクリアタイプの場合、第一の表示層１６は、例えば光を再帰反射させるガラスビーズがポリウレタン樹脂に接着されて露出した状態に形成される。ガラスビーズは、屈折率が１．５〜２．５のものが使用可能であり、好ましくは１．９±０．５程度が良い。ガラスビーズの粒径は、２０〜３００μｍ、好ましくは３５〜７５μｍのものが良い。なお、再帰反射性組成物には、光をより強く反射させたり反射光の色を設定したりするために、アルミニウム粒子やマイカ粒子を適宜混合しても良い。また、印刷を施す生地の色により適宜の着色剤を混合しても良い。
【００１５】
以上のように、衛生マスク１０は、マスク本体１２の表面に、通常インキで成る第二の表示層１８によりかわいいデザイン画が表示されているので、普通に街を歩いたり買い物をしたりする時、ファッションを楽しむ感覚で心地よく着用することができる。さらにマスク本体１２の表面に、散乱光の下では視認が困難な再帰反射インキで成る第一の表示層１６が設けられ、スマートフォンのＬＥＤ光や照明光等により第一の表示層１６の表示が見える場合は、それを見た他人に対して密状態にならないように注意を促す文字列が表示されている。これにより、例えば、ライブハウスや劇場の客席のような暗がりの中で、スマートフォンのＬＥＤ光や照明光等がマスク本体１２の表面に照射された時、客等の当事者の間で、相互に距離を空けるように注意を喚起することができる。また、第一の表示層１６の表示は散乱光の下でほとんど見えないので、普通に街を歩いたり買い物をしたりする時に、周囲の人に違和感を与えたり誤解されたりする心配は不要である。
【００１６】
なお、この考案の衛生マスクは、上記実施形態に限定されるものではない。例えば、第一の表示層１６は、再帰反射インキを印刷して設ける他、再帰反射性組成物を含有するフィルムである再帰反射材料を所定の文字形状に切り抜いて、マスク本体の表面に貼り付けても良い。又はフィルム表面に再帰反射材料で所定の文字を形成し、そのフィルムをマスク本体に貼付するものでも良い。
【００１７】
また、上記の衛生マスク１０の場合、第一の表示層１６による表示は、それを見た他人に対して密状態にならないように注意を促す文字列であるが、必ずしもウィルス感染症の拡大を防止することを目的とする内容である必要はなく、例えば、ライブ演奏を盛り上げるための文字列やデザイン画を表示するようにしてもよい。第二の表示層の表示内容は特に限定されず、必要なければ、第二の表示層自体を省略してもよい。
【符号の説明】
【００１８】
１０  衛生マスク
１２  マスク本体
１２ａ  本体部
１２ｂ  補助部
１４  耳掛け紐
１６  第一の表示層（再帰反射インキ）
１８  第二の表示層（通常インキ）
【図１】
0003229218.tif 000003